(57)【要約】  【課題】  出力電圧が異なる安定化された出力端子と非安定の出力端子とを有するスイッチング電源を用いた電源装置では、負荷が最も軽い待機状態から通常動作状態に移行する際に、非安定の出力電圧が極端に低下し、通常動作状態でも低電圧状態に維持されるという問題があった。  【解決手段】  少なくとも３つの巻線Ｐ、Ｓ、Ｄを有するトランス１６と、前記トランス１６の１次巻線に直列接続されオン・オフ制御されて２次、３次巻線Ｓ、Ｄに交流電圧を発生させるスイッチング素子１８と、前記トランス１６の３次巻線Ｄ出力を整流して得た直流電圧により動作し、前記トランス１６の２次巻線Ｓ出力を整流して得た直流電圧と、２次巻線Ｓ出力の待機状態を含む負荷状態とに応じ２次巻線Ｓ出力に安定化した直流電圧を得るようにスイッチング素子１８をオン・オフ制御する制御部２４とを含むスイッチング電源と、待機状態から定格負荷状態へ移行時に、前記２次巻線Ｓの直流電圧出力に、前記３次巻線Ｄの電圧低下を抑制するための電流を流す電流補充手段７４とを含む。【選択図】  図１
2005073469.tif 000002
【特許請求の範囲】
【請求項１】
少なくとも３つの巻線を有するトランスと、
前記トランスの１次巻線に直列接続されオン・オフ制御されて２次、３次巻線に交流電圧を発生させるスイッチング素子と、
前記トランスの３次巻線出力を整流して得た直流電圧により動作し、前記トランスの２次巻線出力を整流して得た直流電圧と、２次巻線出力の待機状態を含む負荷状態とに応じ２次巻線出力に安定化した直流電圧を得るようにスイッチング素子をオン・オフ制御する制御部と
を含むスイッチング電源と、
待機状態から定格負荷状態へ移行時に、前記２次巻線の直流電圧出力に、前記３次巻線の電圧低下を抑制するための電流を流す電流補充手段と、
を含む電源装置。
【請求項２】
前記３次巻線出力を整流して非安定の直流出力とした請求項１に記載の電源装置。
【請求項３】
電流補充手段が、待機状態から定格負荷状態へ移行後、２次巻線の直流電圧出力から切り離し可能である請求項１に記載の電源装置。
【発明の詳細な説明】
【技術分野】
【０００１】
本発明は電源装置に関し、特に待機時に消費電力を低減させるようにしたスイッチング電源を用いた電源装置に関する。
【背景技術】
【０００２】
リモートコントロールされる電気機器は、動作停止状態でもリモートコントロール受信部やマイクロコンピュータなどの制御回路装置を連続動作させ、外部からの再起動信号を受信すると直ちに待機状態から通常動作状態に移行できるようにしている。この種電気機器は待機時にも電力を消費するため待機時の消費電力を可及的に低減することが望まれている。
【０００３】
特許文献１には、リモートコントロールされるビデオカセットレコーダなどの電子機器の電源をオフ状態とした時、マイクロコンピュータの動作モードを、スリープモードとサブクロック動作モードとを所定の間隔で交互切り換えて、サブクロック動作モード期間に、電源からバックアップ素子（コンデンサ）に充電し、マイクロコンピュータのスリープモード期間に、前記バックアップ素子に充電した電圧をスリープモード状態のマイクロコンピュータとリモートコントロール受信部に給電し、前記充電作業と給電作業を繰り返すことにより、待機時の消費電力を低減することが開示されている。
【０００４】
しかしながら、この電子機器は待機時用電源を動作させるために専用のマイクロコンピュータと充電制御用の回路が必要であった。
【０００５】
これに対して負荷状態を監視し、待機時にはバースト発振の発振停止期間を長くして消費電力を可及的に低減するようにしたスイッチング電源を用いた電源装置が知られている。この種電源装置の一例を図３に示す。図において、１０は交流電源、１２は交流電源１０から供給される交流電圧を直流電圧に変換する整流器、１４は整流器１２の直流出力に接続された電源平滑コンデンサ、１６はトランスで、図示例では３つの巻線Ｐ、Ｓ、Ｄを有し、１次巻線Ｐの一端は整流器１２の直流出力端子（＋極）に接続され、２次巻線Ｓは中間にタップＣＴを引き出している。１８はスイッチング素子、図示例ではＭＯＳＦＥＴで、ドレイン電極が前記トランス１６の１次巻線Ｐの他端に接続されている。２０は一端がスイッチング素子１８のソース電極に接続され、他端が整流器１２の直流出力端子（−極）に接続された電流検出用抵抗、２２はトランス１６の１次巻線Ｐの他端と整流器１２の直流出力端子（−極）の間に接続された共振用コンデンサを示す。
【０００６】
２４はスイッチング素子１８をオン・オフ制御する制御部で、トランス１６の３次巻線Ｄに出力される交流電圧を第１の整流ダイオード２６と第１の平滑コンデンサ２８により整流、平滑化した直流電圧と、前記電流検出用抵抗２０の端子間電圧と、負荷電圧に応じた光を受光する第１のフォトトランジスタ３０が接続され、前記各電圧と第１のフォトトランジスタ３０の受光状態に応じて前記スイッチング素子１８のオン・オフ周期を変化させて、トランス１６の２次、３次巻線Ｓ、Ｄに交流電圧を発生させる。制御部２４の接地端子Ｇ、第１の平滑コンデンサ２８、３次巻線Ｄの各他端、第１のフォトトランジスタ３０のエミッタ電極はそれぞれ整流器１２の−極に接続されている。また３次巻線Ｄと２次巻線Ｓの各他端は、コンデンサ３２と高抵抗値の抵抗３４との並列回路によって高周波的には短絡し直流的には分離した状態で接続されている。
【０００７】
３６はトランス１６の二次巻線Ｓの他端に接続された接地端子、３８はトランス１６の２次巻線Ｓに出力される交流電圧を整流する第２の整流ダイオード、４０は第２の整流ダイオード３８によって整流された直流電圧を平滑する第２の平滑コンデンサ、４２は第２の平滑コンデンサ４０の一端に接続され直流電圧を出力する出力端子、４４は２次巻線Ｓの中間タップＣＴに出力される交流電圧を整流する第３の整流ダイオード、４６は第３の整流ダイオード４４によって整流された直流電圧を平滑する第３の平滑コンデンサ、４８は第３の平滑コンデンサ４６の一端に接続され直流電圧を出力する出力端子を示す。
【０００８】
５０は２次巻線Ｓから得られた直流電圧を出力する出力端子４２、４８の電圧を検出し、検出した電圧値に応じて発光する第１の発光ダイオード５２を含む出力電圧検出部で、第１の発光ダイオード５２は前記第１のフォトトランジスタ３０と光結合され、制御部２４は２次巻線Ｓ側の出力端子４２、４８の出力を安定させるようにスイッチング素子１８をオン・オフ制御する。
【０００９】
５４は一端が出力端子４２に接続された発光ダイオード、５６は発光ダイオード５４に直列接続されて電流を制限する電流制限用抵抗、５８は制御信号端子６０に供給される制御信号により発光ダイオード５４に流れる電流をオン・オフするトランジスタ、６２はトランス１６の３次巻線Ｄに出力される交流電圧を整流する第４の整流ダイオード、６４は第４の整流ダイオード６２によって整流された直流電圧を平滑する第４の平滑コンデンサ、６６は第３の平滑コンデンサ６４の一端に接続され直流電圧を出力する出力端子、６８は出力端子６６の非安定の直流電圧を安定化し、出力端子７０に安定化された電圧を出力する安定化回路、７２は第２の発光ダイオード５４と光結合された第２のフォトトランジスタで、この第２のフォトトランジスタ７２のオン・オフにより安定化回路６８の出力がオン・オフ制御される。
【００１０】
数Ｗ〜５０Ｗ程度の小容量のスイッチング電源を用いた電源装置では、前記制御部２４を１０ｍｍ角より小さいパッケージに収容した半導体集積回路が実用されている。（例えば株式会社東芝製待機電源制御用集積回路「ＴＡ１３０７Ｐ」、サンケン電気株式会社製フライバック方式スイッチング電源用ＩＣ「ＳＴＲ−Ａ６１００シリーズ」など）
【００１１】
このスイッチング電源は種々の負荷回路装置の電源装置を構成する。その動作を以下に説明する。先ず、交流電源１０から供給された交流電圧は整流器１２により整流され、平滑コンデンサ１４によって平滑され、平滑された直流電圧はトランス１６の１次巻線Ｐ、スイッチング素子１８、電流検出用抵抗２０の直列回路に供給される。スイッチング素子１８は制御部２４によりオン・オフ制御され、これによりトランス１６の１次巻線Ｐにパルス電流が生じ、２次巻線Ｓ、３次巻線Ｄに交流電圧が発生する。
【００１２】
３次巻線Ｄの交流出力は第１の整流ダイオード２６、第１の平滑コンデンサ２８によって整流平滑され、この電圧が所定の範囲にあるとき、制御部２４は電流検出用抵抗２０の両端電圧と第１のフォトトランジスタ３０の導通状態に応じてスイッチング素子１８をオン・オフ制御する。
【００１３】
２次巻線Ｓの交流電圧は第２の整流ダイオード３８、第２の平滑コンデンサ４０によって、中間タップＣＴの交流電圧は第３の整流ダイオード４４、第３の平滑コンデンサ４６よって、それぞれ整流、平滑され、出力端子４２、４８に出力されるが、出力電圧検出部５０は各出力端子４２、４８の各電圧に応じて第１の発光ダイオード５２を発光させる。この第１の発光ダイオード５２は第１のフォトトランジスタ５２と光結合されているため、出力巻線Ｓと中間タップＣＴの各出力電圧に応じて制御部２４はスイッチング素子１８をオン・オフ制御し、２次巻線Ｓ、中間タップＣＴの各出力電圧を安定化させる。
【００１４】
一方、３次巻線Ｄの交流出力は第４の整流ダイオード６２、第４の平滑コンデンサ６４によって整流、平滑され出力端子６６に非安定の直流電圧が出力される。
【００１５】
このようにこの電源装置は通常動作状態では２次巻線Ｓ側の出力端子４２、４８と３次巻線Ｄ側の出力端子７０には安定化された電圧が出力され、３次巻線Ｄ側の出力端子６６には非安定な電圧が出力される。この電源装置は負荷が軽くなると、制御部２４はスイッチング素子１８のオンオフ動作を、短周期のオン、オフを短時間繰り返し、オフ状態を所定時間維持する動作を繰り返すバースト動作に移行し、さらに待機状態では、オン、オフの繰り返し回数を減らしたりオフ状態を長くして待機電力を可及的に低減している。
【００１６】
このスイッチング電源は例えば、リモートコントロールされるエアコンディショナに組み込まれ、その動作を制御する制御装置用電源装置として用いられる。エアコンディショナには、ファンやルーバを回転させるモータ、表示ランプ、暖房用ヒータ、冷却用コンプレッサなどがあり、これらを制御する制御装置のモータ駆動回路には、出力端子４２に出力される安定化された１２Ｖの直流電圧や出力端子７０に出力される安定化された１５Ｖの直流電圧が、マイクロコンピュータには出力端子４８に出力される安定化された５Ｖの直流電圧が、安定化を要しない回路には出力端子６６に出力される非安定の１８Ｖの直流電圧が、それぞれ供給される。
【００１７】
エアコンディショナはリモートコントロールにより電源のオン、オフ、温度、湿度の設定、タイマの設定、解除などが可能で、電源オフの指示をすると冷却用コンプレッサや暖房用ヒータなどへの通電が停止され、エアコンディショナはリモートコントローラ受信機やマイクロコンピュータを除き動作停止状態となる。この結果、電源装置の負荷が最小となり、待機状態ではバースト動作となり、負荷電流は、例えば出力端子４８（５Ｖ）では５ｍＡ、出力端子４２（１２Ｖ）では０ｍＡ、出力端子６６（１８Ｖ）や出力端子７０（１５Ｖ）では０ｍＡとなる。このようにリモートコントロール受信部及びマイクロコンピュータを最小電力で動作させ、制御部２４内の不要電力も削減することにより、待機電力を低減し、これにより定格出力が数Ｗ〜５０Ｗの電源で待機電力を０．１ワット以下にしている。
【００１８】
このスイッチング電源を用いた電源装置は、リモートコントローラからエアコンディショナへ再起動の指示が出されると、制御信号端子６０に制御信号が供給され、これによりトランジスタ５８が導通し第２の発光ダイオード５４を発光させ、この光を受光した第２のフォトトランジスタ７２が導通して安定化回路６８を動作可能とする。これと同時に各出力端子４２、４８、７０に接続された回路へ電流が流入すると、負荷電流の増大を制御部２４が検知し、スイッチング素子１８のオン・オフ制御を待機状態から通常動作状態に移行させ、エアコンディショナを再起動させることができる。
【特許文献１】特開平９−１９１５６９号公報（段落番号００１６〜００２８、図１）
【発明の開示】
【発明が解決しようとする課題】
【００１９】
ところで一組のトランス１６とスイッチング素子１８とを用いて異なる電圧で複数の出力端子４２、４８、６６、７０に出力する電源装置では、各出力端子の負荷状態により他の出力端子の出力電圧が影響を受け、最悪の場合にはエアコンディショナなどの負荷装置を誤動作させる虞があった。
【００２０】
そのため、各出力端子の負荷電流を定めて、各出力端子毎に最小電圧と最大電圧を規定している。例えば、５Ｖ、１２Ｖ、１８Ｖの各出力電圧の最小電圧（ｍｉｎ電圧）と最大電圧（ｍａｘ電圧）とを求めるために各出力端子の負荷条件（各出力端子に流す電流値）と判定基準電圧を負荷装置の使用条件に合わせて設定している。
【００２１】
【表１】
2005073469.tif 000003
【００２２】
表１に示す負荷条件では、出力電圧１８Ｖの場合、その最大電圧は、５Ｖ出力に１５０ｍＡ、１２Ｖ出力に１０００ｍＡ、１８Ｖ出力に１０ｍＡそれぞれ流したとき検査結果は２４．２Ｖで、２８．０Ｖ以下という判定基準を満たしている。同様に、５Ｖ、１２Ｖの各最小電圧、最大電圧の検査結果は表１に示すように判定基準を満足している。
【００２３】
しかしながら、１８Ｖ出力の最小電圧は、５Ｖ出力に０ｍＡ、１２Ｖ出力に０ｍＡ、１８Ｖ出力に６０ｍＡそれぞれ流すという負荷条件で、検査結果は１０．２Ｖで、判定基準１５．５Ｖを満たさず、電源装置に接続された負荷装置の動作状態によって非安定の１８Ｖ出力は所定の電圧とならず、各出力端子の負荷電流が最小の待機状態から通常動作状態へ移行時に非安定の１８Ｖ出力が不安定となり、通常状態に移行後も不安定状態が解消されないという問題があった。
【００２４】
この非安定の１８Ｖ出力電圧は、電圧安定性が要求されない回路用電源装置として用いられるが、この電圧を安定化した出力端子７０の電圧が不安定になるとこの出力端子７０に接続された負荷回路の動作を保証できないという問題があった。このような問題は負荷状態に応じて自動的に通常動作からバースト動作に移行し、さらに待機状態に移行する電源装置では顕著であった。
【課題を解決するための手段】
【００２５】
本発明は上記課題の解決を目的として提案されたもので、少なくとも３つの巻線を有するトランスと、前記トランスの１次巻線に直列接続されオン・オフ制御されて２次、３次巻線に交流電圧を発生させるスイッチング素子と、前記トランスの３次巻線出力を整流して得た直流電圧により動作し、前記トランスの２次巻線出力を整流して得た直流電圧と、２次巻線出力の待機状態を含む負荷状態とに応じ２次巻線出力に安定化した直流電圧を得るようにスイッチング素子をオン・オフ制御する制御部とを含むスイッチング電源と、待機状態から定格負荷状態へ移行時に、前記２次巻線の直流電圧出力に、前記３次巻線の電圧低下を抑制するための電流を流す電流補充手段とを含む電源装置を提供する。
【００２６】
前記制御部用電源として用いられる３次巻線出力は、さらに整流平滑して非安定の直流出力として利用される。
【発明の効果】
【００２７】
本発明を適用した電源装置は、待機状態が解除される際に、可及的に低減させた待機電力を維持したまま、安定化出力端子から外部の負荷装置に流出する電流の他に、電流補充手段に安定化されたわずかな電流を流すだけで、非安定の出力電圧の低下を防止して通常動作状態に移行できる。
【発明を実施するための最良の形態】
【００２８】
安定化出力端子と非安定の出力端子を有するスイッチング電源を有する電源装置であって、スイッチング制御されるスイッチング素子のオン・オフ周期を可変とし、オフ期間に比してオン期間を十分短くして待機状態とするスイッチング電源の、前記待機状態が解除される際に、安定化出力端子から外部の負荷装置に流出する電流の他に、所定電流値の電流を流すための電流補充手段を付加する。
【実施例】
【００２９】
以下に本発明の実施例を図１を参照して説明する。図において、図３と同一部分には同一符号を付し重複する説明を省略する。本発明が適用される電源装置は図３電源装置と同様に、３つの巻線Ｐ、Ｓ、Ｄを有するトランス１６の１次巻線Ｐと、スイッチング素子１８、電流検出用抵抗２０を直列的に接続し、この直列回路を整流器１２と平滑コンデンサ１４からなる直流電源に接続し、スイッチング素子１８をオン・オフ制御して１次巻線Ｐに流れる電流を断続させ、トランス１６の２次、３次巻線Ｓ、Ｄに交流電圧を発生させるようにしたものである。
【００３０】
スイッチング素子１８は、３次巻線Ｄの交流出力を整流、平滑した直流電圧と、２次巻線Ｓの交流出力と中間タップＣＴの交流出力をそれぞれ整流平滑した直流電圧に応じて発光する第１の発光ダイオード５２と光結合された第１のフォトトランジスタ３０の導通状態と、電流検出用抵抗２０の両端電圧とによって動作する制御部２４により、オン・オフ制御が調整され、２次巻線Ｓと中間タップＣＴのそれぞれの交流電圧を整流平滑した直流電圧が供給される出力端子４２、４８の出力電圧を安定化させて負荷状態に応じた電流を各出力端子４２、４８に接続された負荷に供給する。
【００３１】
一方、３次巻線Ｄの交流出力は第１の整流ダイオード２６、第１の平滑コンデンサ２８によって構成される整流、平滑回路により直流化され制御部２４に入力されるが、この直流電圧はスイッチング素子１８がオン・オフ動作のために利用され、３次巻線Ｄの出力電圧の安定化とは無関係である。そのため第４の整流ダイオード６２と第４の平滑コンデンサ６４からなる整流、平滑回路によって直流化され出力端子６６に出力される直流電圧は非安定で、この非安定の直流電圧を安定化回路６８を通すことにより出力端子７０に安定化された直流電圧を得ている。
【００３２】
この電源装置は負荷状態によりスイッチング素子１８のオン・オフ状態が変化する。図２はオン・オフ制御されるスイッチング素子１８のドレイン−ソース間電圧を示す。図２（ａ）の図示点線で囲んだ領域の部分拡大波形図を図２（ｂ）に、図２（ｂ）の点線で囲んだ領域の部分拡大波形図を図２（ｃ）にそれぞれ示し、図２（ｄ）の部分拡大波形図を図２（ｅ）に、図２（ｅ）の部分拡大波形図を図２（ｆ）にそれぞれ示す。通常の負荷状態ではスイッチング素子１８は図２（ｃ）に示す短周期のオン・オフを図２（ａ）、図２（ｂ）に示すように連続して繰り返し、負荷装置に十分な電流を供給している。そして負荷状態が軽くなり負荷装置への電流供給量が減少すると図２（ｆ）に示す短周期のオン、オフを短時間繰り返した後、比較的長時間のオフ状態とするバースト動作に移行し、さらにはリモートコントローラ受信部やマイクロコンピュータを除く負荷装置のほとんどを休止状態とする待機状態では図２（ｄ）、図２（ｅ）に示すようにオフ期間を十分長くすることにより、待機電力を低減させている。
【００３３】
この待機状態では、制御信号端子６０に制御信号が与えられず、トランジスタ５８は非導通、発光ダイオード５４は非点灯で、この光を受光するフォトトランジスタ７２も非導通で安定化回路６８は動作を停止し３次巻線Ｄから切り離されるため、電源装置内の消費電力は可及的に低減される。
【００３４】
本発明による電源装置は、待機状態から通常動作状態に移行すると、トランジスタ５８によって第２の整流ダイオード３８から出力端子４２を通して負荷装置へ流れる電流の一部を接地端子３６に分流する電流補充手段７４を備えたことを特徴とする。
【００３５】
この電流補充手段７４は、第２の発光ダイオード５４と電流制限用抵抗５６の直列回路に対して並列接続され、トランジスタ５８が導通状態すると、発光ダイオード５４と電流制限用抵抗５６の直列回路の端子間電圧と電流補充手段７４の抵抗値とで決定される電流が流れる。この電流補充手段７４は図示例では分流用抵抗により構成される。電流制限用抵抗５６の抵抗値は、第２の発光ダイオード５４の輝度とその劣化を考慮して小電流、例えば５〜１５ｍＡで動作させるように設定される。出力電圧検出部５０は待機状態であるか通常動作状態であるかにかかわらず常に動作し、出力端子４２側から接地端子３６側に微小電流が流れている。待機状態が解除され、制御信号端子６０に制御信号が与えられてトランジスタ５８が導通し、発光ダイオード５４に前記電流を流して発光させる際に、電流補充手段７４はさらに１０ｍＡ程度の電流を加算する。
【００３６】
この電源装置は待機状態が解除されると、出力端子４２から負荷装置へ供給される電流が０ｍＡであっても、２次巻線Ｓに接続された整流ダイオード３８から第２の発光ダイオード５４、電流制限用抵抗５６に流れる電流と電流補充手段７４に流れる電流を合わせた電流が流れる。
【００３７】
この電源装置の各出力端子４２、４８、６６の各出力電圧と、各出力電圧の最大、最小電圧を求める負荷条件が表１と同じとすれば、３次巻線Ｄの非安定の出力電圧（１８Ｖ）の最小電圧は、５Ｖ出力から０ｍＡ、１２Ｖ出力から０ｍＡ、１８Ｖ出力から６０ｍＡそれぞれ取り出したときの電圧である。このとき、本発明による電源装置では、１２Ｖ出力は外部に電流を取り出さなくても内部で第２の発光ダイオード５４、電流制限用抵抗５６の直列回路と電流補充手段７４により１５〜２５ｍＡ程度の電流が流れるため、第１の発光ダイオード５２に光結合された第１のフォトトランジスタ３０がトランス１６の２次巻線Ｓの負荷状態を検出し、制御部２４によってスイッチング素子１８のオン・オフ制御を調整し、１次巻線Ｐの電力量を増大させる。この結果、負荷側の２次巻線Ｓだけでなく、３次巻線Ｄに十分な電力が供給され、外部に電流が取り出されても出力端子６６の電圧を維持することができ、表２に示すように、１８Ｖ出力の最小電圧は１０．２Ｖから１７．１Ｖに改善され、１５．５Ｖ以上という判定基準電圧を満足することができた。
【００３８】
【表２】
2005073469.tif 000004
【００３９】
本発明を適用した電源装置は、各出力端子の電圧が表２に示すように改善できた。即ち、５Ｖ出力の最小電圧は４．９Ｖから５．４Ｖに上昇し、最大電圧は５．８Ｖであったものが５．８Ｖで変らず、最大電圧と最小電圧の差を０．９Ｖから０．４Ｖに縮小できた。また１２Ｖ出力の最小電圧は１２．２Ｖであったものが１２．２Ｖで変化なく、最大電圧は１３．５Ｖから１２．９Ｖに大幅に低下したが、最大電圧と最小電圧の差を１．３Ｖから０．６Ｖに縮小できた。また１８Ｖ出力では最小電圧を１０．２Ｖから１７．１Ｖに大幅上昇させ、最大電圧は２４．２Ｖから２４．３Ｖとなり、最大電圧と最小電圧の差は、１３．０Ｖから７．２Ｖへと大幅に縮小できた。
【００４０】
このように本発明による電源装置は、待機状態から通常動作状態へ移行する際に、待機電力を犠牲にすることなく非安定の３次巻線Ｄの出力電圧が極端に低下するという問題を解消できる。
【００４１】
また３次巻線Ｓから取り出される非安定の出力電圧だけでなく２次巻線Ｓから取り出される安定化された出力電圧の、各出力電圧の最大電圧と最小電圧の差を縮小でき、より一層出力電圧の安定化を実現できる。
【００４２】
また３次巻線Ｓの非安定の整流電圧を、安定化回路６８の出力電圧より十分高くできるため、安定化回路６８を通った出力端子７０の出力電圧を不安定にすることはない。
【００４３】
各出力端子４２、４８、６６から取り出すことができる電流値はトランス１６やスイッチング素子１８の容量によって異なり、各出力端子の最小、最大電圧を求める負荷条件も前記容量によって異なる。そのため前記電流補充手段７４に流す電流値は、待機時から通常動作状態に移行時に、出力端子４２に内部接続された回路に流れる電流とともに２次巻線Ｓ出力を安定化させる回路を確実に動作させることのできる電流値に設定すれば良い。
【００４４】
尚、本発明は上記実施例にのみ限定されるものではなく、例えば電流補充手段７４は固定抵抗だけでなく、複数の抵抗を直列接続または一端を共通接続して並列的に接続したものや可変抵抗器や可変抵抗素子を用いることができ、これにより電流補充手段７４に流す電流を調整することができる。また図示例の第２の発光ダイオード５４、電流制限用抵抗５６、トランジスタ５８と電流補充手段７４を構成する分流用抵抗をリレーなどに置換しこれを電流補充手段とすることもできる。
【００４５】
また上記実施例では電流補充手段７４をスイッチング電源内に設けたが、スイッチング電源に接続される負荷回路装置側に設けてもよく、さらには待機状態から通常動作状態に移行した後、電流補充手段７４を電源装置から切り離すこともできる。これにより通常動作時の消費電力を削減できる。
【産業上の利用可能性】
【００４６】
本発明は待機時に消費電力を可及的に低減させたスイッチング電源を備えた電源装置に適用することができる。
【図面の簡単な説明】
【００４７】
【図１】本発明の実施例を示す電源装置の回路図
【図２】スイッチング素子のドレイン−ソース間電圧を示す波形図
【図３】本発明の前提となる電源装置の回路図
【符号の説明】
【００４８】
１６      トランス
１８      スイッチング素子
２４      制御部
２６      第１の整流ダイオード
２８      第１の平滑コンデンサ
７４      電流補充手段
Ｐ        １次巻線
Ｓ        ２次巻線
Ｄ        ３次巻線
【図１】
2005073469.tif 000005
【図２】
2005073469.tif 000006
【図３】
2005073469.tif 000007